(57)【要約】【課題】複数枚の特殊な硬貨を短時間で円滑に入金できる硬貨処理装置を提供する。【解決手段】硬貨処理装置は、硬貨が１枚ずつ置かれる複数の受入孔１１１と、硬貨を撮像して画像を取得する撮像部１６０と、撮像部１６０により撮像された硬貨が収納される収納部１８０ａ〜１８０ｄと、硬貨が置かれた各々の受入孔１１１を、撮像部１６０による硬貨の撮像位置に順次移送させた後に収納部１８０ａ〜１８０ｄによる硬貨の収納位置まで移送させる移送ディスク１１０および駆動モータ１３０と、撮像部１６０により撮像された硬貨に係る情報を入力するための操作表示部と、操作表示部により入力された硬貨に係る情報を、当該硬貨の画像に紐付けて端末記憶部に記憶させる端末制御部と、を備える。【選択図】図２
2017228021.tif 000002
【特許請求の範囲】
【請求項１】
硬貨が１枚ずつ置かれる複数の硬貨置き部と、
硬貨を撮像して画像を取得する撮像部と、
前記撮像部により撮像された硬貨が収納される収納部と、
硬貨が置かれた各々の前記硬貨置き部を、前記撮像部による硬貨の撮像位置に順次移送させた後に前記収納部による硬貨の収納位置まで移送させる移送機構部と、
前記撮像部により撮像された硬貨に係る情報を入力するための入力部と、
前記入力部により入力された硬貨に係る情報を、当該硬貨の画像に紐付けて記憶部に記憶させる制御部と、
を備えることを特徴とする硬貨処理装置。
【請求項２】
前記収納部は複数設けられ、
前記入力部により入力された硬貨に係る情報に応じて、硬貨を何れかの前記収納部に振り分けるための振分機構部をさらに備える、
ことを特徴とする請求項１に記載の硬貨処理装置。
【請求項３】
前記複数の硬貨置き部は、少なくとも２個以上が、一度に外部に露出して硬貨を置くことが可能である、
ことを特徴とする請求項１または２に記載の硬貨処理装置。
【請求項４】
前記複数の硬貨置き部は、所定間隔でループ状に並ぶように配置され、前記移送機構部により循環移送され、当該循環移送の過程において前記撮像位置および前記収納位置を通過する、
ことを特徴とする請求項１ないし３の何れか一項に記載の硬貨処理装置。
【請求項５】
表示部をさらに備え、
前記制御部は、硬貨に係る情報を入力するための情報入力画面を前記表示部に表示させ、前記撮像部が撮像した硬貨の画像と、当該硬貨に係る情報の候補とを前記情報入力画面に含める、
ことを特徴とする請求項１ないし４の何れか一項に記載の硬貨処理装置。
【請求項６】
前記制御部は、情報入力の対象となる硬貨が置かれた前記硬貨置き部よりも上流の前記硬貨置き部に置かれ、既に情報入力が完了した硬貨の画像および当該硬貨に係る情報を前記情報入力画面に含める、
ことを特徴とする請求項５に記載の硬貨処理装置。
【請求項７】
前記制御部は、硬貨に係る情報のデフォルトの候補として、前回に入力された硬貨に係る情報を指定する、
ことを特徴とする請求項５または６に記載の硬貨処理装置。
【請求項８】
前記制御部は、硬貨の画像を解析し、その解析結果に基づいて、硬貨に係る情報のデフォルトの候補を指定する、
ことを特徴とする請求項５または６に記載の硬貨処理装置。
【発明の詳細な説明】
【技術分野】
【０００１】
本発明は、損貨、記念貨等を含む硬貨を処理する硬貨処理装置に関する。
【背景技術】
【０００２】
従来、損貨（変形硬貨、汚損硬貨）、記念貨等の市場流通に適さない特殊な硬貨を取り扱う硬貨処理装置が知られており、その一例が特許文献１に開示されている。
【０００３】
特許文献１の硬貨処理装置では、入金口を介して筐体内部にある入金位置に一枚の硬貨が載置される。載置された硬貨は、入金位置にて撮像カメラにより撮像される。撮像された硬貨の画像は、硬貨の種類および金種に関する候補とともに表示部に表示される。操作者は、硬貨の画像を見ながら、その硬貨の種類および金種を複数の候補の中から選択する。硬貨の種類および金種が選択されると、これら情報が画像に紐付けられて記憶部に記憶される。その後、硬貨は、損貨であるか記念貨であるかに応じて、損貨箱または記念貨箱に振り分けて収納される。
【先行技術文献】
【特許文献】
【０００４】
【特許文献１】特開２０１５−０１８３０４号公報
【発明の概要】
【発明が解決しようとする課題】
【０００５】
上記の硬貨処理装置では、入金する特殊な硬貨が複数枚ある場合に、１枚ずつ上記一連の動作が繰り返されるため、ユーザにとって入金操作が面倒であり、入金時間も長く掛かりやすい。
【０００６】
かかる課題に鑑み、本発明は、複数枚の特殊な硬貨を短時間で円滑に入金できる硬貨処理装置を提供することを目的とする。
【課題を解決するための手段】
【０００７】
本発明の主たる態様に係る硬貨処理装置は、硬貨が１枚ずつ置かれる複数の硬貨置き部と、硬貨を撮像して画像を取得する撮像部と、前記撮像部により撮像された硬貨が収納される収納部と、硬貨が置かれた各々の前記硬貨置き部を、前記撮像部による硬貨の撮像位置に順次移送させた後に前記収納部による硬貨の収納位置まで移送させる移送機構部と、前記撮像部により撮像された硬貨に係る情報を入力するための入力部と、前記入力部により入力された硬貨に係る情報を、当該硬貨の画像に紐付けて記憶部に記憶させる制御部と、を備える。
【０００８】
上記の構成によれば、操作者は、硬貨処理装置に入金する損貨等の硬貨が複数枚ある場合に、先の硬貨が収納部に収納されるのを待つことなく硬貨置き部に次の硬貨を置いて、これら硬貨を連続的に撮像部で撮像し収納部に収納することができる。これにより、操作者は、複数枚の硬貨を硬貨処理装置へ短時間で円滑に入金することができる。
【０００９】
本態様に係る硬貨処理装置において、前記収納部は複数設けられ得る。この場合、前記入力部により入力された硬貨に係る情報に応じて、硬貨を何れかの前記収納部に振り分けるための振分機構部が、さらに備えられる。
【００１０】
上記の構成によれば、入金された硬貨を整理して収納部に収納することができる。
【００１１】
本態様に係る硬貨処理装置において、前記複数の硬貨置き部は、少なくとも２個以上が、一度に外部に露出して硬貨を置くことが可能であるような構成とされ得る。
【００１２】
上記の構成によれば、操作者は、２個以上の硬貨をまとめて硬貨置き部に置くことができ、硬貨の入金作業がやりやすい。
【００１３】
本態様に係る硬貨処理装置において、前記複数の硬貨置き部は、所定間隔でループ状に並ぶように配置され、前記移送機構部により循環移送され、当該循環移送の過程において前記撮像位置および前記収納位置を通過するような構成とされ得る。
【００１４】
上記の構成によれば、一巡して戻ってきた硬貨置き部に、再び硬貨を置くことで、硬貨置き部の個数以上の枚数の硬貨を連続的に入金処理することが可能となる。
【００１５】
本態様に係る硬貨処理装置において、表示部をさらに備えるような構成が採られ得る。この場合、前記制御部は、硬貨に係る情報を入力するための情報入力画面を前記表示部に表示させ、前記撮像部が撮像した硬貨の画像と、当該硬貨に係る情報の候補とを前記情報入力画面に含める。
【００１６】
上記の構成によれば、ユーザは、硬貨の画像を確認しながら、硬貨に係る情報の入力を行うことができる。
【００１７】
上記の構成とされた場合、さらに、前記制御部は、情報入力の対象となる硬貨が置かれた前記硬貨置き部よりも上流の前記硬貨置き部に置かれ、既に情報入力が完了した硬貨の画像および当該硬貨に係る情報を前記情報入力画面に含めるような構成とされ得る。
【００１８】
このような構成とされれば、操作者は、現在の硬貨に係る情報入力を行いつつ、既に情報入力が完了した硬貨の情報を確認できる。
【００１９】
情報入力画面に、硬貨に係る情報の候補が含められる場合、さらに、前記制御部は、硬貨に係る情報のデフォルトの候補として、前回に入力された硬貨に係る情報を指定するような構成とされ得る。
【００２０】
このような構成とされれば、入力される情報が同じである硬貨を続けて入金する場合に、操作者は、情報入力画面上での情報入力が容易になる。
【００２１】
情報入力画面に、硬貨に係る情報の候補が含められる場合、さらに、前記制御部は、硬貨の画像を解析し、その解析結果に基づいて、硬貨に係る情報のデフォルトの候補を指定する、
このような構成とされれば、操作者は、情報入力画面上での情報入力が容易になる。
【発明の効果】
【００２２】
本発明によれば、複数枚の特殊な硬貨を短時間で円滑に入金できる硬貨処理装置を提供することができる。
【００２３】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２４】
【図１】図１は、実施形態に係る、貨幣処理システムの外観を示す正面図である。
【図２】図２（ａ）は、実施形態に係る、特殊硬貨処理ユニットの斜視図であり、図２（ｂ）は、図２（ａ）のＡ−Ａ´断面図である。
【図３】図３は、実施形態に係る、筐体の上部で切断した特殊硬貨処理ユニットの平面断面図である。
【図４】図４は、図３の状態から、移送ディスク、ベース板および振分機構部を取り除いた特殊硬貨処理ユニットの平面断面図である。
【図５】図５は、実施形態に係る、各受入孔の番号付けについて説明するための図である。
【図６】図６（ａ）は、実施形態に係る、特殊硬貨処理ユニットの主たる構成を示すブロック図であり、図６（ｂ）は、実施形態に係る、操作端末の主たる構成を示すブロック図である。
【図７】図７は、実施形態に係る、管理テーブルの構成を示す図である。
【図８】図８は、実施形態に係る、端末制御部が実行する損貨等入金処理の制御動作を示すフローチャートである。
【図９】図９は、実施形態に係る、装置制御部が実行する損貨等入金処理の制御動作を示すフローチャートである。
【図１０】図１０（ａ）および（ｂ）は、それぞれ、実施形態に係る、開始画面および情報入力画面を示す図である。
【図１１】図１１（ａ）は、実施形態に係る、処理確定画面を示す図であり、図１１（ｂ）は、実施形態に係る、プリンタで印刷される入金明細書を示す図である。
【図１２】図１２（ａ）ないし（ｃ）は、特殊硬貨処理ユニットに特殊な硬貨が入金される手順を示す図である。
【図１３】図１３（ａ）ないし（ｃ）は、特殊硬貨処理ユニットに特殊な硬貨が入金される手順を示す図である。
【図１４】図１４（ａ）は、変更例１に係る、情報入力画面を示す図であり、図１４（ｂ）は、変更例１に係る、硬貨が受入口に返却される様子と、そのときの管理テーブルの状態を示す図である。
【図１５】図１５は、変更例２に係る、端末制御部が実行する損貨等入金処理の制御動作を示すフローチャートである。
【図１６】図１６（ａ）は、変更例２に係る、入金された硬貨が「損貨」と判定され、種類の候補一覧で「損貨」が自動選択される例を示す図であり、図１６（ｂ）は、変更例２に係る、入金された硬貨が「記念貨」と判定され、種類の候補一覧で「記念貨」が自動選択される例を示す図である。
【図１７】図１７（ａ）は、変更例３に係る、特殊硬貨処理ユニットの斜視図であり、図１７（ｂ）は、図１７（ａ）のＢ−Ｂ´断面図である。
【図１８】図１８は、変更例３に係る、ベース板を筐体内から引き出した状態の、筐体の上部で切断した特殊硬貨処理ユニットの平面断面図である。
【図１９】図１９（ａ）は、変更例４に係る、特殊硬貨処理ユニットの斜視図であり、図１９（ｂ）は、図１９（ａ）のＣ−Ｃ´断面図である。
【発明を実施するための形態】
【００２５】
以下、本発明の実施形態について、図面を参照して説明する。
【００２６】
本実施形態において、受入孔１１１が、特許請求の範囲に記載の「硬貨置き部」に対応する。また、移送ディスク１１０および駆動モータ１３０によって、特許請求の範囲に記載の「移送機構部」が構成される。さらに、装置制御部１９０および端末制御部２３０によって、特許請求の範囲に記載の「制御部」が構成される。さらに、操作表示部２１０が、特許請求の範囲に記載の「入力部」および「表示部」に対応する。さらに、端末記憶部２４０が、特許請求の範囲に記載の「記憶部」に対応する。
【００２７】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２８】
図１は、本実施形態に係る、貨幣処理システム１の外観を示す正面図である。
【００２９】
貨幣処理システム１は、バラ紙幣処理ユニット２と、束紙幣処理ユニット３と、バラ硬貨処理ユニット４と、包装硬貨処理ユニット５と、有価媒体処理ユニット６と、特殊硬貨処理ユニット７と、操作端末８とで構成される。
【００３０】
バラ紙幣処理ユニット２は、バラ紙幣を金種別に収納できる紙幣収納部を有し、バラ紙幣を紙幣収納部へ入金する入金処理や紙幣収納部からバラ紙幣を出金する出金処理を行う。束紙幣処理ユニット３は、所定枚数（たとえば、１００枚）のバラ紙幣を結束して束紙幣（帯封紙幣）を形成する束紙幣形成部と、束紙幣を収納する束紙幣収納部とを有する。束紙幣処理ユニット３は、バラ紙幣処理ユニット２と接続されており、バラ紙幣処理ユニット２から送られてきたバラ紙幣を束紙幣形成部で束紙幣に変換して外部に投出したり束紙幣収納部に収納したりする。
【００３１】
バラ硬貨処理ユニット４は、バラ硬貨を金種別に収納できる硬貨収納部を有し、バラ硬貨を硬貨収納部へ入金する入金処理や硬貨収納部からバラ硬貨を出金する出金処理を行う。包装硬貨処理ユニット５は、所定枚数（たとえば、５０枚）のバラ硬貨を包装して包装硬貨を形成する包装硬貨形成部と、包装硬貨を収納する包装硬貨収納部とを有する。包装硬貨処理ユニット５は、バラ硬貨処理ユニット４と接続されており、バラ硬貨処理ユニット４から送られてきたバラ硬貨を包装硬貨形成部で包装硬貨に変換して外部に投出したり包装硬貨収納部に収納したりする。
【００３２】
有価媒体処理ユニット６は、バラ紙幣処理ユニット２および束紙幣処理ユニット３で取り扱われない有価媒体の処理を行う。具体的には、有価媒体処理ユニット６は、損券収納部、有価証券収納部を有し、現在発行されていない紙幣である旧券、市場流通に適さない損券および汚れや破れによってバラ紙幣処理ユニット２で処理できない損傷券を損券収納部に対して入出金する処理、および、小切手や手形などの特定の有価証券を有価証券収納部に対して入出金する処理を行う。また、有価媒体処理ユニット６は、新券収納部を有し、未使用の紙幣である新券を新券収納部から出金する処理を行う。
【００３３】
特殊硬貨処理ユニット７は、損貨（変形貨幣、汚損貨幣）、記念貨等の市場流通に適さない特殊な硬貨を取り扱う。これら特殊な硬貨は、バラ硬貨処理ユニット４では、取り扱うことができない。
【００３４】
操作端末８は、操作表示部２１０と、プリンタ２２０とを含む。ユーザは、操作端末８を用いて、バラ紙幣処理ユニット２、束紙幣処理ユニット３、バラ硬貨処理ユニット４、包装硬貨処理ユニット５、有価媒体処理ユニット６および特殊硬貨処理ユニット７に対する入金処理のための操作や出金処理のための操作を行う。
【００３５】
特殊硬貨処理ユニット７と操作端末８との組み合わせにより、ユーザの操作に基づいて特殊な硬貨の入金処理を行うことができる硬貨処理装置９が構成される。
【００３６】
次に、硬貨処理装置９を構成する特殊硬貨処理ユニット７と操作端末８について、詳細に説明する。
【００３７】
図２（ａ）は、本実施形態に係る、特殊硬貨処理ユニット７の斜視図であり、図２（ｂ）は、図２（ａ）のＡ−Ａ´断面図である。図３は、本実施形態に係る、筐体１００の上部で切断した特殊硬貨処理ユニット７の平面断面図である。図４は、図３の状態から、移送ディスク１１０、ベース板１２０および振分機構部１７０を取り除いた特殊硬貨処理ユニット７の平面断面図である。なお、図３では、便宜上、受入口１０１の領域が一点鎖線にて示されている。また、図４では、前から２番目の収納部１８０ｃにおいて収納箱１８１ｃが筐体１００から途中まで引き出されている。
【００３８】
図２（ａ）ないし図４を参照して、特殊硬貨処理ユニット７は、筐体１００と、移送ディスク１１０と、ベース板１２０と、駆動モータ１３０と、基準位置検出部１４０と、硬貨検出部１５０と、撮像部１６０と、振分機構部１７０と、４つの収納部１８０ａ〜１８０ｄとを含む。
【００３９】
筐体１００は、上下方向にやや扁平な直方体形状を有する。筐体１００の前部には、前面上部から天面前部に繋がるように開口する受入口１０１が形成される。受入口１０１は、前後方向にスライドするシャッター１０２により開閉される。シャッター１０２は、手動で開閉されてもよいし、自動で開閉されてもよい。
【００４０】
移送ディスク１１０は、筐体１００の内部に取り付けられたベース板１２０の上に設置される。移送ディスク１１０には、外周部に１２個の受入孔１１１が円形のループ状に並ぶように形成される。隣り合う２つの受入孔１１１の間隔は一定であり、受入孔１１１が１２個の場合は、間隔は３０度となる。受入孔１１１は、下面がベース板１２０で塞がれ、その内部に、入金される硬貨が置かれる。変形硬貨や記念貨が確実に収まるよう、受入孔１１１は、直径４０ｍｍ以上、深さ９ｍｍ以上とされることが望ましい。
【００４１】
移送ディスク１１０は、入金処理の運転が停止されている状態において基準位置を取る。この状態において、移送ディスク１１０の前部の３つの受入孔１１１が受入口１０１内に臨む。シャッター１０２が開くと、３つの受入孔１１１が外部に露出するため、ユーザは、一度にまとめて、３つの受入孔１１１に硬貨を置くことができる。
【００４２】
各受入孔１１１には、硬貨の有無、現在位置などを管理するため、番号付けがなされる。たとえば、図５に示すように、移送ディスク１１０が基準位置にあるときに受入口１０１内の一番右に位置する受入孔１１１に１番の番号が付され、以下、上方から見て時計回り（右回り）に、各受入孔１１１に２番から１２番の番号が付される。また、各受入孔１１１の位置には、各位置を示す位置番号が付される。たとえば、図５に示すように、移送ディスク１１０が基準位置にあるときに１２番の受入孔１１１が存在する位置に「Ｐ１」の位置番号が付され、以下、上方から見て反時計回り（左回り）に、各受入孔１１１の位置に「Ｐ２」から「Ｐ１２」の位置番号が付される。移送ディスク１１０は、反時計回りに、一度につき、次の位置番号の位置まで送られる。受入孔１１１が１２個の場合、移送ディスク１１０は、一度の送り、即ち、受入孔１１１の１コマの送りにより、３０度回転する。
【００４３】
移送ディスク１１０には、下面中央に取付穴１１２が形成される。また、移送ディスク１１０には、外周縁における８番の受入孔１１１の位置に、基準位置を検出するための反射板１１３が取り付けられる。
【００４４】
ベース板１２０は、筐体１００の平面形状と同じ方形の板状に形成され、筐体１００内において、受入口１０１の下縁の高さ位置に設けられる。ベース板１２０には、基準位置において７番から４番の受入孔１１１が位置する位置番号Ｐ６からＰ９の４つの位置に、それぞれ、硬貨を投下するための投下口１２１ａ〜１２１ｄが形成される。また、ベース板１２０には、各投下口１２１ａ〜１２１ｄから外側に連続するように収容口１２２ａ〜１２２ｄが形成される。さらに、ベース板１２０には、移送ディスク１１０の取付穴１１２に対応する位置に挿入孔１２３が形成され、位置番号Ｐ１の位置に、硬貨を検出するための検出孔１２４が形成される。
【００４５】
駆動モータ１３０は、たとえば、ステッピングモータであり、移送ディスク１１０を回転駆動する。駆動モータ１３０は、そのモータ軸１３１が挿入孔１２３を介して移送ディスク１１０の取付穴１１２に取り付けられる。駆動モータ１３０は、図示しない取付部を介して、ベース板１２０に取り付けられてもよいし、筐体１００の底面に取り付けられてもよい。
【００４６】
基準位置検出部１４０は、基準位置において８番の受入孔１１１が位置する位置番号Ｐ５の位置の後方に配置される。基準位置検出部１４０は、横に並んだ発光素子１４１と受光素子１４２とを有し、発光素子１４１からの光が反射板１１３で反射されて受光素子１４２に受光されることにより、移送ディスク１１０が基準位置にあることを検出する。
【００４７】
硬貨検出部１５０は、検出孔１２４を挟んで上下方向に対向する発光素子１５１と受光素子１５２とを有する。位置番号Ｐ１に位置する受入孔１１１内に硬貨が存在する場合、発光素子１５１からの発光が硬貨に遮られて受光素子１５２に届かなくなる。硬貨検出部１５０は、受光素子１５２の受光の有無によって受入孔１１１内の硬貨の有無を検出する。
【００４８】
撮像部１６０は、基準位置において８番の受入孔１１１が位置する位置番号Ｐ５の位置の上方に配置される。撮像部１６０は、ＣＣＤ、ＣＭＯＳ等の撮像素子を有し、位置番号Ｐ５の位置に送られて来た受入孔１１１内の硬貨を撮像し、硬貨の画像（画像データ）を取得する。
【００４９】
振分機構部１７０は、入金された硬貨を、硬貨の種類（損貨または記念貨）および金種に応じた収納部１８０ａ〜１８０ｄに振り分けて収納するために設けられる。振分機構部１７０は、各投下口１２１ａ〜１２１ｄに対応して設けられた、４つの開閉装置１７０ａ〜１７０ｄにより構成される。
【００５０】
開閉装置１７０ａ〜１７０ｄは、閉鎖板１７１ａ〜１７１ｄと、投下口１２１ａ〜１２１ｄを閉鎖する閉鎖位置と開放する開放位置との間で閉鎖板１７１ａ〜１７１ｄを移動させるソレノイド等の駆動部１７２ａ〜１７２ｄとを含む。閉鎖板１７１ａ〜１７１ｄは、開放位置に移動されたときに収容口１２２ａ〜１２２ｄに収容される。
【００５１】
４つの収納部１８０ａ〜１８０ｄは、筐体１００の底部の右側に前後方向に並ぶように配置される。各収納部１８０ａ〜１８０ｄは、筐体１００の右側面から引き出すことが可能な収納箱１８１ａ〜１８１ｄと、収納箱１８１ａ〜１８１ｄが収容されるケース１８２ａ〜１８２ｄと、ケース１８２ａ〜１８２ｄの上面から、各収納部１８０ａ〜１８０ｄに対応する投下口１２１ａ〜１２１ｄの真下位置に延びるシューター１８３ａ〜１８３ｄとを含む。各収納部１８０ａ〜１８０ｄは、施錠できるように構成され、特定の管理者のみが解錠できる。
【００５２】
収納部１８０ａは、記念貨に割り当てられる。投下口１２１ａ、シューター１８３ａを通じて、記念貨が収納箱１８１ａに収納される。また、収納部１８０ｂは、１円および５円の損貨に割り当てられる。投下口１２１ｂ、シューター１８３ｂを通じて、１円または５円の損貨が収納箱１８１ｂに収納される。さらに、収納部１８０ｃは、１０円および５０円の損貨に割り当てられる。投下口１２１ｃ、シューター１８３ｃを通じて、１０円または５０円の損貨が収納箱１８１ｃに収納される。さらに、収納部１８０ｄは、１００円および５００円を含むその他の損貨に割り当てられる。投下口１２１ｄ、シューター１８３ｄを通じて、１００円、５００円等の損貨が収納箱１８１ｄに収納される。
【００５３】
図６（ａ）は、本実施形態に係る、特殊硬貨処理ユニット７の主たる構成を示すブロック図である。
【００５４】
特殊硬貨処理ユニット７は、駆動モータ１３０、基準位置検出部１４０、硬貨検出部１５０、撮像部１６０、開閉装置１７０ａ〜１７０ｄの他、装置制御部１９０、装置記憶部１９１および装置通信部１９２を備える。
【００５５】
装置通信部１９２は、操作端末８の後述する端末通信部との間で無線方式あるいは有線方式による信号の送受信を行う。
【００５６】
装置制御部１９０は、ＣＰＵ（Central Processing Unit）等の演算回路を備え、装置記憶部１９１に記憶されたプログラムに従って、駆動モータ１３０、基準位置検出部１４０、硬貨検出部１５０、撮像部１６０、開閉装置１７０ａ〜１７０ｄ、装置通信部１９２等を制御する。基準位置検出部１４０から基準位置の到来を示す検出信号が装置制御部１９０に出力される。また、硬貨検出部１５０から硬貨の有無を示す検出信号が装置制御部１９０に出力される。また、撮像部１６０から硬貨の画像データが装置制御部１９０に出力される。
【００５７】
装置記憶部１９１は、ＲＯＭ（Read Only Memory）、ＲＡＭ（Random Access Memory）やハードディスク等の記憶媒体を備え、装置制御部１９０の動作プログラムを記憶し、また、装置制御部１９０の制御処理の際にワーク領域として利用される。さらに、装置記憶部１９１は、図７に示すような、管理テーブル１９１ａを有する。各受入孔１１１の現在位置、各受入孔１１１内の硬貨の有無、各受入孔１１１にある硬貨が投下されるときの投下位置が、管理テーブル１９１ａによって管理される。なお、図７には、硬貨の入金処理が開始される前であって移送ディスク１１０が基準位置にあるときの管理テーブル１９１ａの状態が示されている。
【００５８】
図６（ｂ）は、本実施形態に係る、操作端末８の主たる構成を示すブロック図である。
【００５９】
操作端末８は、上述した操作表示部２１０およびプリンタ２２０の他、端末制御部２３０、端末記憶部２４０、端末通信部２５０およびＩＤカードリーダ２６０を備える。
【００６０】
操作表示部２１０は、ディスプレイ２１１とタッチセンサ２１２とからなるタッチパネルで構成される。ディスプレイ２１１は、各種の画像（画面）を表示する。タッチセンサ２１２は、ディスプレイ２１１に重ねられディスプレイ２１１に対するユーザのタッチ操作を検出する。プリンタ２２０は、バラ紙幣処理ユニット２、束紙幣処理ユニット３、バラ硬貨処理ユニット４、包装硬貨処理ユニット５、有価媒体処理ユニット６および特殊硬貨処理ユニット７に対する入金処理、出金処理等の各種処理の結果の情報を、ジャーナルとして用紙に印字し出力する。
【００６１】
端末通信部２５０は、バラ紙幣処理ユニット２、束紙幣処理ユニット３、バラ硬貨処理ユニット４、包装硬貨処理ユニット５および有価媒体処理ユニット６の各装置通信部との間で無線方式あるいは有線方式による信号の送受信を行う。また、端末通信部２５０は、特殊硬貨処理ユニット７の装置通信部１９２との間で無線方式あるいは有線方式による信号の送受信を行う。ＩＤカードリーダ２６０は、ＩＤカードを読み取り、読み取ったデータを端末制御部２３０に出力する。
【００６２】
端末制御部２３０は、ＣＰＵ等の演算回路を備え、端末記憶部２４０に記憶されたプログラムに従って、操作表示部２１０、プリンタ２２０、端末通信部２５０、ＩＤカードリーダ２６０等を制御する。さらに、端末制御部２３０は、端末通信部２５０を通じてバラ紙幣処理ユニット２、束紙幣処理ユニット３、バラ硬貨処理ユニット４、包装硬貨処理ユニット５、有価媒体処理ユニット６および特殊硬貨処理ユニット７との間で各種の指令や情報のやり取りを行うことにより、これら処理ユニット２〜７の動作を制御する。
【００６３】
端末記憶部２４０は、ＲＯＭ、ＲＡＭやハードディスク等の記憶媒体を備え、端末制御部２３０の動作プログラムを記憶し、また、端末制御部２３０の制御処理の際にワーク領域として利用される。
【００６４】
次に、特殊硬貨処理ユニット７へ特殊な硬貨である損貨および記念貨を入金するための入金処理である損貨等入金処理について説明する。
【００６５】
図８は、本実施形態に係る、端末制御部２３０が実行する損貨等入金処理の制御動作を示すフローチャートである。図９は、本実施形態に係る、装置制御部１９０が実行する損貨等入金処理の制御動作を示すフローチャートである。図１０（ａ）および（ｂ）は、それぞれ、本実施形態に係る、開始画面Ｓ１および情報入力画面Ｓ２を示す図である。図１１（ａ）は、本実施形態に係る、処理確定画面Ｓ３を示す図であり、図１１（ｂ）は、本実施形態に係る、プリンタ２２０で印刷される入金明細書を示す図である。図１２（ａ）ないし（ｃ）および図１３（ａ）ないし（ｃ）は、特殊硬貨処理ユニット７に特殊な硬貨が入金される手順を示す図である。
【００６６】
操作者が、操作表示部２１０に表示された入金初期画面上で、「損貨・記念貨」の項目を選択すると、損貨等入力処理が開始される。
【００６７】
まず、操作端末８側で行われる損貨等入金処理について説明する。
【００６８】
図８を参照し、端末制御部２３０は、開始画面Ｓ１を操作表示部２１０に表示させる（Ｓ１０１）。図１０（ａ）に示すように、開始画面Ｓ１には、特殊硬貨処理ユニット７の受入口１０１への硬貨の投入を促す画像Ｍ１と、開始操作に用いられる開始ボタンＢ１と、中止操作に用いられる中止ボタンＢ２とが含まれる。
【００６９】
端末制御部２３０は、開始画面Ｓ１上において開始操作または中止操作がなされたか否かを監視する（Ｓ１０２、Ｓ１０３）。
【００７０】
操作者は、シャッター１０２を開け、受入口１０１にある３つの受入孔１１１内に特殊な硬貨、即ち損貨または記念貨を置き、その後、開始ボタンＢ１にタッチする。一方、入金を止める場合、操作者は、中止ボタンＢ２にタッチする。なお、入金する硬貨が４枚以上ある場合、操作者は、移送ディスク１１０が送られ始め、新たな受入孔１１１が受入口１０１の位置に来たときに、その受入孔１１１に硬貨を順次置いていく。
【００７１】
開始操作がなされると（Ｓ１０２：ＹＥＳ）、端末制御部２３０は、端末通信部２５０を通じて特殊硬貨処理ユニット７に開始の指示を行う（Ｓ１０４）。一方、中止操作がなされると（Ｓ１０３：ＹＥＳ）、端末制御部２３０は、開始画面Ｓ１を閉じて（Ｓ１０５）、処理を終了する。
【００７２】
特殊硬貨処理ユニット７に開始の指示を行うと、端末制御部２３０は、特殊硬貨処理ユニット７から硬貨の画像が送られてくるのを待つ（Ｓ１０６）。
【００７３】
開始指示に基づいて特殊硬貨処理ユニット７が始動し、移送ディスク１１０の回転によって、硬貨が置かれた受入孔１１１が撮像部１６０による撮影位置まで送られてくると、撮像部１６０によって受入孔１１１内の硬貨が撮像され、取得された硬貨の画像が特殊硬貨処理ユニット７から操作端末８へ送られてくる。
【００７４】
硬貨の画像が送られてくると（Ｓ１０６：ＹＥＳ）、端末制御部２３０は、画像を取得した硬貨に係る情報、即ち、硬貨の種類と金種とを入力するための情報入力画面Ｓ２を操作表示部２１０に表示させる（Ｓ１０７）。
【００７５】
図１０（ｂ）に示すように、情報入力画面Ｓ２は、画像表示領域Ｒ１、情報入力領域Ｒ２および履歴表示領域Ｒ３の３つの領域に区画される。端末制御部２３０は、画像表示領域Ｒ１内に、取得した硬貨の画像Ｍ２を表示させる。また、端末制御部２３０は、情報入力領域Ｒ２に、硬貨の種類の候補一覧Ｌ１と、硬貨の金種の候補一覧Ｌ２と、確定操作に用いる確定ボタンＢ３とを表示させる。さらに、端末制御部２３０は、履歴表示領域Ｒ３内に、既に情報入力が完了した硬貨に係る情報、即ち、硬貨の画像、種類および金種を履歴情報Ｄ１として表示させる。
【００７６】
候補一覧Ｌ１、Ｌ２には、各候補を選択するためのチェックボックスＣ１、Ｃ２が配置される。端末制御部２３０は、前回に選択された種類および金種の候補を、今回の種類および金種のデフォルト候補に指定し、それらの候補のチェックボックスＣ１、Ｃ２に自動でチェックマークを入れる。なお、取得した硬貨の画像が、今回の損貨等入金処理における最初の硬貨の画像である場合、端末制御部２３０は、候補一覧Ｌ１、Ｌ２において、最も上の候補をデフォルト候補に指定する。また、履歴表示領域Ｒ３内には、履歴情報Ｄ１が表示されない。
【００７７】
操作者は、画像表示領域Ｒ１内に表示された硬貨の画像Ｍ２を見ることにより硬貨の種類と金種を確認した後に、種類の候補一覧Ｌ１内の該当する候補のチェックボックスＣ１にタッチすることにより、何れかの候補（損貨または記念貨）を選択し、さらに、金種の候補一覧Ｌ２内の該当する候補のチェックボックスＣ２にタッチすることにより、何れかの候補を選択する。この際、操作者は、履歴表示領域Ｒ３内の履歴情報Ｄ１を見ることで、既に情報入力が完了した硬貨の情報を確認できる。硬貨の種類および金種を選択すると、操作者は、確定操作として確定ボタンＢ３にタッチする。
【００７８】
確定操作がなされると、端末制御部２３０は、情報入力が完了したと判定し（Ｓ１０８：ＹＥＳ）、入力された硬貨の種類および金種の情報を、硬貨の画像に紐付けて端末記憶部２４０に記憶させるとともに、端末通信部２５０を通じて特殊硬貨処理ユニット７へ送る（Ｓ１０９）。
【００７９】
その後、端末制御部２３０は、特殊硬貨処理ユニット７から次の画像が送られてきたか、または終了の通知があったかを監視する（Ｓ１１０、Ｓ１１１）。
【００８０】
特殊硬貨処理ユニット７から次の画像が送られてくると（Ｓ１１０：ＹＥＳ）、端末制御部２３０は、次の画像の硬貨に係る情報入力のために情報入力画面Ｓ２を更新し（Ｓ１１２）、その後、終了の通知があるまでＳ１０８からＳ１１２の処理を繰り返す。こうして、入金された全ての硬貨について、順次、硬貨の種類および金種の情報が、硬貨の画像に紐付けられて端末記憶部２４０に記憶されつつ、特殊硬貨処理ユニット７に送られる。
【００８１】
送られた硬貨の種類および金種の情報に応じて、特殊硬貨処理ユニット７で、入金された全ての硬貨が収納部１８０ａ〜１８０ｄに収納されると、特殊硬貨処理ユニット７から終了の通知がある。
【００８２】
特殊硬貨処理ユニット７から終了の通知があると（Ｓ１１１：ＹＥＳ）、端末制御部２３０は、処理確定画面Ｓ３を操作表示部２１０に表示させる。
【００８３】
図１１（ａ）に示すように、処理確定画面Ｓ３は、情報一覧表示領域Ｒ４と拡大画像表示領域Ｒ５とに区画される。情報一覧表示領域Ｒ４には、入金された硬貨の情報一覧Ｌ３と、完了操作に用いられる完了ボタンＢ４と、継続操作に用いられる継続ボタンＢ５とが表示される。拡大画像表示領域Ｒ５には、情報一覧Ｌ３の中からタッチにより指定された硬貨の画像Ｍ３が拡大表示される。
【００８４】
端末制御部２３０は、完了操作がなされたか、または継続操作がなされたかを監視する（Ｓ１１４、Ｓ１１５）。操作者は、追加して入金する硬貨がなければ完了ボタンＢ４にタッチし、追加して入金する硬貨があれば、受入口１０１にある受入孔１１１内に硬貨を置いた後に継続ボタンＢ５にタッチする。
【００８５】
完了操作がなされると（Ｓ１１４：ＹＥＳ）、端末制御部２３０は、端末通信部２５０を通じて特殊硬貨処理ユニット７に完了の指示を行う（Ｓ１１６）。そして、端末制御部２３０は、処理確定画面Ｓ３を閉じるとともに（Ｓ１１７）、プリンタ２２０に、図１１（ｂ）に示すような入金明細書を印刷させる（Ｓ１１８）。こうして、操作端末８側の損貨等入金処理が終了する。
【００８６】
一方、継続操作がなされると（Ｓ１１５：ＹＥＳ）、端末制御部２３０は、端末通信部２５０を通じて特殊硬貨処理ユニット７に継続の指示を行い（Ｓ１１９）、Ｓ１０６に戻って、特殊硬貨処理ユニット７から硬貨の画像が送られてくるのを待つ。
【００８７】
次に、特殊硬貨処理ユニット７側で行われる損貨等入金処理について説明する。
【００８８】
図９を参照して、損貨等入力処理が開始されると、装置制御部１９０は、操作端末８から開始の指示があったかを監視する（Ｓ２０１）。
【００８９】
図１２（ａ）のように、たとえば、５００円、１００円、１円の３枚の損貨と、１枚の記念貨の計４枚の硬貨が入金される場合、最初に３つの受入孔１１１内に硬貨が置かれる。たとえば、１番の受入孔１１１に５００円の損貨が置かれ、２番の受入孔１１１に１００円の損貨が置かれ、３番の受入孔１１１に記念貨が置かれる。このとき、管理テーブル１９１ａは、初期の状態にある。その後、操作端末８の開始画面Ｓ１上で開始操作がなされると、操作端末８から開示の指示が送られてくる。
【００９０】
開始の指示があると（Ｓ２０１：ＹＥＳ）、装置制御部１９０は、所定の数の駆動パルスを駆動モータ１３０に出力することにより、駆動モータ１３０を反時計回りに３０度回転させ、受入孔１１１を反時計回りに１コマ送る（Ｓ２０２）。次に、装置制御部１９０は、位置番号Ｐ１に送られてきた受入孔１１１（最初は１番の受入孔１１１）の硬貨の有無を硬貨検出部１５０により検出する（Ｓ２０３）。そして、装置制御部１９０は、管理テーブル１９１ａの全ての受入孔１１１の現在位置と、位置番号Ｐ１の受入孔１１１内の硬貨の有無を更新する（Ｓ２０４）。
【００９１】
図１２（ｂ）のように、１番の受入孔１１１が位置番号Ｐ１の位置に送られ、この受入孔１１１内の硬貨が検出されると、管理テーブル１９１ａの１番の受入孔１１１の硬貨の有無の欄が「無」から「有」に更新される。このとき、新たに受入口１０１に進んだ４番の受入孔１１１に、４枚目の硬貨である１円の損貨が置かれる。
【００９２】
次に、装置制御部１９０は、撮像部１６０による撮影位置に硬貨があるか否かを判定する（Ｓ２０５）。装置制御部１９０は、管理テーブル１９１ａを参照し、現在位置が撮影位置である位置番号Ｐ５の受入孔１１１に硬貨があれば、撮影位置に硬貨があると判定する。
【００９３】
硬貨が置かれた最初の受入孔１１１（通常は１番の受入孔１１１）が撮影位置に送られてくるまでは、撮影位置に硬貨がないと判定されるため（Ｓ２０５：ＮＯ）、撮像部１６０による硬貨の撮像が行われることなく、Ｓ２０２からＳ２０４の処理が繰り返される。なお、撮像部１６０による撮像が行われないとき、Ｓ２０２からＳ２０４の処理は、一定の時間周期（たとえば１秒周期）で行われ、各受入孔１１１が一定時間置きに１コマずつ送られる。
【００９４】
硬貨が置かれた最初の受入孔１１１が撮影位置に送られてくると、撮影位置に硬貨があると判定される（Ｓ２０５：ＹＥＳ）。装置制御部１９０は、撮像部１６０に受入孔１１１内の硬貨を撮像させ（Ｓ２０６）、取得した硬貨の画像を、装置通信部１９２を通じて操作端末８へ送る（Ｓ２０７）。そして、装置制御部１９０は、撮像された硬貨に係る種類および金種の情報が操作端末８から送られてくるのを待つ（Ｓ２０８）。
【００９５】
硬貨の種類および金種の情報が送られてくると（Ｓ２０８：ＹＥＳ）、装置制御部１９０は、硬貨の種類および金種に応じて、その硬貨を投下する投下位置を決定し、管理テーブル１９１ａにおいて、その硬貨が置かれた受入孔１１１の投下位置の欄に投下位置となる位置番号を登録する（Ｓ２０９）。具体的には、硬貨の種類が記念貨である場合、記念貨に割り当てられた収納部１８０ａに通じる投下口１２１ａがある位置番号Ｐ６が投下位置として登録される。一方、硬貨の種類が損貨である場合、金種が１円または５円であれば、１円および５円に割り当てられた収納部１８０ｂに通じる投下口１２１ｂがある位置番号Ｐ７が投下位置として登録される。また、金種が１０円または５０円であれば、１０円および５０円に割り当てられた収納部１８０ｃに通じる投下口１２１ｃがある位置番号Ｐ８が投下位置として登録される。さらに、金種が１００円または５００円であれば、１００円および５００円に割り当てられた収納部１８０ｄに通じる投下口１２１ｄがある位置番号Ｐ８が投下位置として登録される。
【００９６】
図１２（ｃ）のように、１番の受入孔１１１が撮影位置に到達すると、５００円の損貨であるとの情報入力に基づいて、５００円の損貨の投下位置である位置番号Ｐ９が、１番の受入孔１１１の投下位置の欄に登録される。
【００９７】
次に、装置制御部１９０は、管理テーブル１９１ａを参照し、何れかの投下位置に投下の対象となる硬貨があるか否かを判定する（Ｓ２１０）。
【００９８】
硬貨が置かれた受入孔１１１が、撮像部１６０による撮像後に、置かれた硬貨に対応する投下位置まで到達したとき、管理テーブル１９１ａにおいて、その受入孔１１１の現在位置が、登録された投下位置と一致する。よって、現在位置が投下位置に一致する受入孔１１１があれば、装置制御部１９０は、何れかの投下位置に投下の対象となる硬貨があると判定し（Ｓ２１０：ＹＥＳ）、投下対象の硬貨のある投下位置の投下口１２１ａ〜１２１ｄを閉鎖する閉鎖板１７１ａ〜１７１ｄを開放位置に移動させ、その投下口１２１ａ〜１２１ｄを開放する（Ｓ２１１）。これにより、硬貨が投下口１２１ａ〜１２１ｄから投下され、この硬貨に割り当てられた収納部１８０ａ〜１８０ｄに収納される。その後、装置制御部１９０は、管理テーブル１９１ａにおいて、硬貨が投下された受入孔１１１の硬貨の有無の欄を「有」から「無」に変更し、投下位置の欄に登録された位置番号を抹消する（Ｓ２１２）。
【００９９】
図１３（ａ）のように、記念貨が置かれた３番の受入孔１１１が、その投下位置である位置番号Ｐ６の位置に到達すると、閉鎖板１７１ａが開いて、記念貨が投下口１２１ａに投下され、収納部１８０ａに収納される。その後、５００円の損貨が置かれた１番の受入孔１１１が、その投下位置である位置番号Ｐ９の位置に到達すると、閉鎖板１７１ｄが開いて、５００円の損貨が投下口１２１ｄに投下され、収納部１８０ｄに収納される。最後に、図１３（ｂ）のように、１００円の損貨が置かれた２番の受入孔１１１と１円の損貨が置かれた４番の受入孔１１１が、それぞれ、それらの投下位置である位置番号Ｐ９、Ｐ７の位置に到達すると、閉鎖板１７１ｄ、１７１ｂが開いて、これら損貨が投下口１２１ｄ、１２１ｂに投下され、収納部１８０ｄ、１８０ｂに収納される。
【０１００】
入金された全ての硬貨が、何れかの収納部１８０ａ〜１８０ｄに振り分けられて収納されるまで（Ｓ２１３：ＮＯ）、Ｓ２０２からＳ２１２の処理が繰り返し実行される。
【０１０１】
図１３（ｃ）のように、入金された全ての硬貨が収納部１８０ａ〜１８０ｄに収納されると、管理テーブル１９１ａにおいて、全ての受入孔１１１の硬貨の有無の欄が「無」の状態に戻る。
【０１０２】
装置制御部１９０は、全ての硬貨の収納が完了したと判定すると（Ｓ２１３：ＹＥＳ）、装置通信部１９２を通じて操作端末８へ終了の通知を行う（Ｓ２１４）。
【０１０３】
その後、装置制御部１９０は、操作端末８からの完了の指示または継続の指示を待つ（Ｓ２１５、Ｓ２１６）。完了の指示がなされると（Ｓ２１５：ＹＥＳ）、装置制御部１９０は、駆動モータ１３０により移送ディスク１１０を回転させ、移送ディスク１１０を基準位置に戻す（Ｓ２１７）。こうして、特殊硬貨処理ユニット７側の損貨等入金処理が終了する。
【０１０４】
一方、継続の指示がなされると（Ｓ２１６：ＹＥＳ）、装置制御部１９０は、Ｓ２０２の処理に戻り、損貨等入金処理を継続させる。
【０１０５】
＜実施形態の効果＞
本実施形態によれば、以下の効果が奏され得る。
【０１０６】
（１）特殊硬貨処理ユニット７は、複数の受入孔１１１を備え、硬貨の置かれた受入孔１１１が、順次、撮像部１６０による硬貨の撮像位置に移送され、その後、収納部１８０ａ〜１８０ｄによる硬貨の収納位置へ移送される構成とされているので、操作者は、特殊硬貨処理ユニット７に入金する損貨等の特殊な硬貨が複数枚ある場合に、先の硬貨が収納部１８０ａ〜１８０ｄに収納されるのを待つことなく受入孔１１１に次の硬貨を置いて、これら硬貨を連続的に撮像部１６０で撮像し収納部１８０ａ〜１８０ｄに収納することができる。これにより、操作者は、複数枚の特殊な硬貨を特殊硬貨処理ユニット７へ短時間で円滑に入金することができる。
【０１０７】
（２）特殊硬貨処理ユニット７は、操作端末８の情報入力画面Ｓ２上で入力された硬貨の種類および金種の情報に応じて、硬貨が何れかの収納部１８０ａ〜１８０ｄに振り分けられる構成とされているので、入金された硬貨を整理して収納部１８０ａ〜１８０ｄに収納することができる。
【０１０８】
（３）特殊硬貨処理ユニット７は、２個以上（３個）の受入孔１１１が、受入口１０１において一度に外部に露出して硬貨を置くことが可能である構成とされているので、操作者は、２個以上の硬貨をまとめて受入孔１１１内に置くことができ、硬貨の入金作業がやりやすい。
【０１０９】
（４）特殊硬貨処理ユニット７は、複数の受入孔１１１が、所定間隔でループ状に並ぶように移送ディスク１１０に形成され、移送ディスク１１０と駆動モータ１３０とにより循環移送され、当該循環移送の過程において撮像位置および収納位置を通過する構成とされているので、一巡して受入口１０１に戻ってきた受入孔１１１に、再び硬貨を置くことで、受入孔１１１の個数以上の枚数の硬貨を連続的に入金処理することが可能となる。
【０１１０】
（５）操作表示部２１０に表示される情報入力画面Ｓ２に、撮像部１６０が撮像した硬貨の画像と、硬貨の種類の候補一覧Ｌ１と、硬貨の金種の候補一覧Ｌ２とが含まれるので、ユーザは、硬貨の画像を確認しながら、硬貨の種類および金種の入力（候補一覧Ｌ１、Ｌ２からの選択）を行うことができる。
【０１１１】
（６）既に情報入力が完了した硬貨の画像および当該硬貨の種類および金種が履歴情報Ｄ１として情報入力画面Ｓ２に含められるので、操作者は、現在の硬貨に係る情報入力を行いつつ、履歴情報Ｄ１を見ることで、既に情報入力が完了した硬貨の情報を確認できる。
【０１１２】
（７）硬貨に係る種類および金種のデフォルトの候補として、前回に入力された硬貨に係る種類および金種の情報が指定され、情報入力画面Ｓ２の候補一覧Ｌ１、Ｌ２で自動的に選択されるので、同じ種類や金種の硬貨を続けて入金する場合に、選択操作の手間が省ける。
【０１１３】
以上、本発明の実施形態について説明したが、本発明は、上記実施形態によって何ら制限されるものではなく、また、本発明の実施形態も、上記以外に種々の変更が可能である。
【０１１４】
＜変更例１＞
図１４（ａ）は、変更例１に係る、情報入力画面Ｓ２を示す図であり、図１４（ｂ）は、変更例１に係る、硬貨が受入口１０１に返却される様子と、そのときの管理テーブル１９１ａの状態を示す図である。
【０１１５】
図１４（ａ）に示すように、本変更例では、端末制御部２３０は、情報入力画面Ｓ２の情報入力領域Ｒ２に、返却操作に用いられる返却ボタンＢ６を表示させる。この場合、操作者は、送られてきた硬貨の画像が不鮮明であるなどの理由により、硬貨の種類や金種が確認できない場合に、返却ボタンＢ６にタッチする。
【０１１６】
返却操作が行われると、端末制御部２３０は、管理テーブル１９１ａにおいて、該当する受入孔１１１の投下位置の欄に「返却」の登録を行う。これにより、図１４（ｂ）のように、硬貨は、何れの投下口１２１ａ〜１２１ｄからも投下されず、一巡して受入口１０１に返却される。
【０１１７】
このような構成とすれば、硬貨に係る種類や金種の情報が入力できない場合に、受入口１０１へ硬貨を返却することができる。
【０１１８】
＜変更例２＞
図１５は、変更例２に係る、端末制御部２３０が実行する損貨等入金処理の制御動作を示すフローチャートである。図１６（ａ）は、変更例２に係る、入金された硬貨が「損貨」と判定され、種類の候補一覧Ｌ１で「損貨」が自動選択される例を示す図であり、図１６（ｂ）は、変更例２に係る、入金された硬貨が「記念貨」と判定され、種類の候補一覧Ｌ１で「記念貨」が自動選択される例を示す図である。なお、図１５に示す損貨等入金処理では、図８に示す損貨等入金処理と比較した場合に、Ｓ１２１ないしＳ１２５の処理が付加される。また、図１５のフローチャートでは、Ｓ１１１の処理およびＳ１１３以降の処理の図示が省略されている。
【０１１９】
図１５を参照し、特殊硬貨処理ユニット７から硬貨の画像が送られてくると（Ｓ１０６：ＹＥＳ）、端末制御部２３０は、画像を解析し、硬貨とその周囲との間の濃淡や色の違いなどに基づいて、画像から硬貨の外形を抽出する（Ｓ１２１）。そして、端末制御部２３０は、抽出した硬貨の外形から硬貨の真円度を求め、求めた真円度が第１閾値より小さいか否かを判定する（Ｓ１２２）。硬貨が損貨、特に変形貨幣である場合、図１６（ａ）のように、真円度が第１閾値より小さくなる。この場合、求めた真円度が第１閾値より小さいと判定され（Ｓ１２２：ＹＥＳ）、端末制御部２３０は、情報入力画面Ｓ２を操作表示部２１０に表示させるとともに、硬貨の種類の候補一覧Ｌ１において、「損貨」を自動選択する（Ｓ１２３）。
【０１２０】
一方、求めた真円度が第１閾値以上であると判定された場合（Ｓ１２２：ＮＯ）、端末制御部２３０は、抽出した硬貨の外形から硬貨の直径を求め、求めた直径が第２閾値（たとえば、５００円硬貨の直径より少し大きな値）より大きいか否かを判定する（Ｓ１２４）。硬貨が記念貨である場合、図１６（ｂ）のように、直径が第２閾値より大きくなる場合がある。この場合、求めた直径が第２閾値より大きいと判定され（Ｓ１２４：ＹＥＳ）、端末制御部２３０は、情報入力画面Ｓ２を操作表示部２１０に表示させるとともに、硬貨の種類の候補一覧Ｌ１において、「記念貨」を自動選択する（Ｓ１２５）。
【０１２１】
一方、求めた直径が第２閾値以下であると判定された場合（Ｓ１２４：ＮＯ）、端末制御部２３０は、上記実施形態と同様、情報入力画面Ｓ２を操作表示部２１０に表示させ、硬貨の種類の候補一覧Ｌ１において、前回の候補を自動選択する（Ｓ１０７）。
【０１２２】
このような構成とすれば、硬貨の画像に基づいて当該硬貨の種類が自動的に選択されるので、操作者は、情報入力画面Ｓ２上での情報入力が容易になる。
【０１２３】
＜変更例３＞
図１７（ａ）は、変更例３に係る、特殊硬貨処理ユニット７Ａの斜視図であり、図１７（ｂ）は、図１７（ａ）のＢ−Ｂ´断面図である。図１８は、変更例３に係る、ベース板３１０を筐体３００内から引き出した状態の、筐体３００の上部で切断した特殊硬貨処理ユニット７Ａの平面断面図である。
【０１２４】
図１７（ａ）ないし図１８を参照して、特殊硬貨処理ユニット７Ａは、筐体３００と、ベース板３１０と、硬貨受入部３２０と、移送機構部３３０と、基準位置検出部３４０と、撮像部３５０と、振分機構部３６０と、４つの収納部３７０ａ〜３７０ｄとを含む。
【０１２５】
筐体３００は、上下方向にやや扁平な直方体形状を有する。筐体３００の前部には、前面上部に出入口３０１が形成される。筐体３００の内部には、左右の側面にベース板３１０を前後にスライドさせるためのスライドレール３０２が設けられる。
【０１２６】
ベース板３１０は、筐体３００の平面形状と同じ方形の板状に形成される。ベース板３１０は、左右両端部がスライドレール３０２に保持されており、筐体３００内から前方へ引き出すことができる。ベース板３１０の前部には、扉体３１１が設けられ、ベース板３１０が筐体３００内に収納されると、筐体３００の出入口３０１が扉体３１１によって塞がれる。
【０１２７】
硬貨受入部３２０は、１０個の受入部３２１で構成される。１０個の受入部３２１は、上方から見て長円形のループ状に並ぶように、所定間隔でベース板３１０上に配置される。各受入部３２１は、上下方向に開口する円環状を有し、下面がベース板３１０で塞がれ、その内部に、入金される硬貨が置かれる。図１８に示すように、ベース板３１０が筐体３００内から引き出された状態にあるとき、全ての受入部３２１が外部に露出するため、操作者は、一度にまとめて、全ての受入部３２１に硬貨を置くことができる。なお、受入部３２１が、特許請求の範囲に記載の「硬貨置き部」に対応する。
【０１２８】
移送機構部３３０は、移送ベルト３３１と、前プーリ３３２と、後プーリ３３３と、前支軸３３４と、駆動モータ３３５とを含む。移送ベルト３３１は、ループ状を有し、１０個の受入部３２１の内側に所定距離だけ離れて配置された前プーリ３３２と後プーリ３３３との間に架け渡される。移送ベルト３３１の外周面に各受入部３２１が連結される。前支軸３３４は、ベース板３１０に形成された前軸孔３１２を通じて上方に突出し前プーリ３３２に連結される。前プーリ３３２は、前支軸３３４によって回転自在に保持される。駆動モータ３３５は、たとえば、ステッピングモータであり、ベース板３１０の下面に取り付けられ、そのモータ軸３３５ａがベース板３１０に形成された後軸孔３１３を通じて上方に突出し後プーリ３３３に連結される。後プーリ３３３が駆動モータ３３５によって回転駆動されると、移送ベルト３３１が水平面内を循環するように移動し、各受入部３２１がベース板３１０上において循環移送される。
【０１２９】
硬貨受入部３２０は、入金処理の運転が停止されている状態において基準位置を取る。各受入部３２１には、上記実施形態の特殊硬貨処理ユニット７の受入孔１１１と同様に、１番から１０番の番号付けがなされる。また、各受入部３２１の位置には、各位置を示す「Ｐ１」から「Ｐ１０」の位置番号が付される。硬貨受入部３２０は、移送機構部３３０によって、反時計回りに、一度につき、次の位置番号の位置まで送られる。即ち、各受入部３２１は、１コマの送りにつき、反時計回り方向の隣の受入部３２１の位置まで進む。
【０１３０】
硬貨受入部３２０には、基準位置にあるときに最も後方に位置する受入部３２１に、基準位置を検出するための反射板３２２が取り付けられる。
【０１３１】
基準位置検出部３４０は、基準位置において最も後方に位置する受入部３２１の後方に配置される。基準位置検出部３４０は、横に並んだ発光素子３４１と受光素子３４２とを有し、発光素子３４１からの光が反射板３２２で反射されて受光素子３４２に受光されることにより、硬貨受入部３２０が基準位置にあることを検出する。
【０１３２】
撮像部３５０は、基準位置において最も後方に位置する受入部３２１の上方に配置される。撮像部３５０は、ＣＣＤ、ＣＭＯＳ等の撮像素子を有し、撮像部３５０の下方の撮像位置に送られて来た受入部３２１内の硬貨を撮像し、硬貨の画像（画像データ）を取得する。
【０１３３】
ベース板３１０には、基準位置において左側に位置する４つの受入部３２１の下に、後方からそれぞれ、硬貨を投下するための投下口３１４ａ〜３１４ｄが形成される。また、ベース板３１０には、各投下口３１４ａ〜３１４ｄから外側に連続するように収容口３１５ａ〜３１５ｄが形成される。
【０１３４】
振分機構部３６０は、各投下口３１４ａ〜３１４ｄに対応して設けられた、４つの開閉装置３６０ａ〜３６０ｄにより構成される。開閉装置３６０ａ〜３６０ｄは、上記実施形態の特殊硬貨処理ユニット７の開閉装置１７０ａ〜１７０ｄと同様、閉鎖板３６１ａ〜３６１ｄと、駆動部３６２ａ〜３６２ｄとを含む。
【０１３５】
４つの収納部３７０ａ〜３７０ｄは、筐体３００の底部の右側に前後方向に並ぶように配置される。各収納部３７０ａ〜３７０ｄは、筐体３００の右側面から引き出すことが可能な収納箱３７１ａ〜３７１ｄと、収納箱３７１ａ〜３７１ｄが収容されるケース３７２ａ〜３７２ｄと、ケース３７２ａ〜３７２ｄの上面に形成される投入口３７３ａ〜３７３ｄとを含む。ベース板３１０が筐体３００内に収納された状態において、各投入口３７３ａ〜３７３ｄは、各収納部３７０ａ〜３７０ｄに対応する投下口３１４ａ〜３１４ｄの真下に位置する。各収納部３７０ａ〜３７０ｄは、施錠できるように構成され、特定の管理者のみが解錠できる。
【０１３６】
収納部３７０ａは、記念貨に割り当てられ、収納部３７０ｂは、１円および５円の損貨に割り当てられる。また、収納部３７０ｃは、１０円および５０円の損貨に割り当てられ、収納部３７０ｄは、１００円および５００円を含むその他の損貨に割り当てられる。
【０１３７】
本変更例の特殊硬貨処理ユニット７Ａにおいても、上記実施形態の特殊硬貨処理ユニット７と同様の損貨等入力処理が行われる。本変更例では、操作者は、筐体３００内からベース板３１０を引き出し、入金する全ての特殊な硬貨を各受入部３２１に置く。その後、操作者は、ベース板３１０を筐体３００内に収納して、操作端末８において開始操作を行う。
【０１３８】
特殊硬貨処理ユニット７Ａにおける損貨等入力処理の制御動作は、図９に示す制御動作とほぼ同様である。但し、特殊硬貨処理ユニット７Ａには、受入部３２１の硬貨の有無を直接的に検出する硬貨検出部がない。このため、図９のＳ２０３の硬貨を検出する処理は行われず、Ｓ２０４では、管理テーブル（図示せず）の現在位置のみが更新される。さらに、Ｓ２０５の判定は行われず、Ｓ２０６では、撮像位置に送られてきた全ての受入部３２１が撮像部３５０で撮像される。そして、撮像した画像から硬貨の有無が判定され、画像中に硬貨が含まれる場合に、Ｓ２０７で、その硬貨の画像が操作端末８に送られる。さらに、Ｓ２１３では、各受入部３２１が一巡したときに、全ての硬貨が収納部３７０ａ〜３７０ｄに収納されたと判定される。
【０１３９】
このようにして、特殊硬貨処理ユニット７Ａにおいて損貨等入力処理が行われることにより、各受入部３２１に置かれた複数枚の特殊な硬貨が、順次、撮像部３５０で撮像された後、硬貨の種類や金種に応じた収納部３７０ａ〜３７０ｄに収納される。
【０１４０】
本変更例においても、上記実施形態と同様な作用効果が奏される。但し、本変更例では、全ての受入部３２１を外部に露出させることができるので、入金処理の運転前に多くの硬貨を受入部３２１に置いておくことができる反面、運転中には受入部３２１に硬貨を置くことができないため、全ての受入部３２１を超える枚数の硬貨を連続的に入金処理することはできない。
【０１４１】
＜変更例４＞
図１９（ａ）は、変更例４に係る、特殊硬貨処理ユニット７Ｂの斜視図であり、図１９（ｂ）は、図１９（ａ）のＣ−Ｃ´断面図である。
【０１４２】
図１９（ａ）および（ｂ）を参照して、特殊硬貨処理ユニット７Ｂは、筐体４００と、硬貨受入部４１０と、移送機構部４２０と、ベース板４３０と、基準位置検出部４４０と、硬貨検出部４５０と、撮像部４６０と、振分機構部４７０と、４つの収納部４８０ａ〜４８０ｄとを含む。
【０１４３】
筐体４００は、上下方向にやや扁平な直方体形状を有する。筐体４００の前部には、前面上部から天面前部に繋がるように開口する受入口４０１が形成される。受入口４０１は、前後方向にスライドするシャッター４０２により開閉される。シャッター４０２は、手動で開閉されてもよいし、自動で開閉されてもよい。
【０１４４】
硬貨受入部４１０は、１２個の受入部４１１により構成される。１２個の受入部４１１は、移送機構部４２０を構成する移送ベルト４２１の外周面に、側方から見て長円形のループ状に並ぶように所定間隔で配置される。各受入部４１１は、上下方向に開口する円環状を有し、下面が移送ベルト４２１で塞がれ、その内部に、入金される硬貨が置かれる。なお、受入部４１１が、特許請求の範囲に記載の「硬貨置き部」に対応する。
【０１４５】
硬貨受入部４１０は、入金処理の運転が停止されている状態において基準位置を取る。この状態において、硬貨受入部４１０の前部の２つの受入部４１１が受入口４０１内に臨む。シャッター４０２が開くと、２つの受入部４１１が外部に露出するため、ユーザは、一度にまとめて、２つの受入部４１１に硬貨を置くことができる。
【０１４６】
移送機構部４２０は、移送ベルト４２１と、前プーリ４２２と、後プーリ４２３と、前支軸４２４と、駆動モータ４２５とを含む。移送ベルト４２１は、ループ状を有し、前後に所定距離だけ離れて配置された前プーリ４２２と後プーリ４２３との間に架け渡される。前支軸４２４は、左右方向に延び、前プーリ４２２を回転自在に保持すする。駆動モータ４２５は、たとえば、ステッピングモータであり、そのモータ軸４２５ａが左右方向に延び、後プーリ４２３に連結される。前支軸４２４および駆動モータ４２５は、図示しない取付部を介して、ベース板４３０に取り付けられてもよいし、筐体４００の側面に取り付けられてもよい。後プーリ４２３が駆動モータ４２５によって回転駆動されると、移送ベルト４２１が垂直面内を循環するように移動し、各受入部４１１が垂直面内において循環移送される。
【０１４７】
移送ベルト４２１には、各受入部４１１の中央位置に硬貨を検出するための検出孔４２１ａが形成される。また、移送ベルト４２１には、内周面の所定位置に、硬貨受入部４１０の基準位置を検出するための反射板４２６が取り付けられる。
【０１４８】
硬貨受入部４１０の各受入部４１１には、上記実施形態の特殊硬貨処理ユニット７の受入孔１１１と同様に、１番から１２番の番号付けがなされる。また、各受入部４１１の位置には、各位置を示す「Ｐ１」から「Ｐ１２」の位置番号が付される。硬貨受入部４１０は、移送機構部４２０によって、左側面側から見て、反時計回りに、一度につき、次の位置番号の位置まで送られる。即ち、各受入部４１１は、１コマの送りにつき、反時計回り方向の隣の受入部４１１の位置まで進む。
【０１４９】
ベース板４３０には、基準位置において下側に位置する４つの受入部４１１の下に、後方からそれぞれ、硬貨を投下するための投下口４３１ａ〜４３１ｄが形成される。また、ベース板４３０には、移送機構部４２０の後方に、ガード板４３２が設けられる。ガード板４３２は、受入部４１１が上向きの状態から下向きの状態に移行する際に、受入部４１１から硬貨が落ちてしまうのを防ぐ。
【０１５０】
基準位置検出部４４０は、移送ベルト４２１の内側に配置される。基準位置検出部４４０は、横に並んだ発光素子４４１と受光素子４４２とを有し、発光素子４４１からの光が反射板４２６で反射されて受光素子４４２に受光されることにより、硬貨受入部４１０が基準位置にあることを検出する。
【０１５１】
硬貨検出部４５０は、上下方向に対向する発光素子４５１と受光素子４５２とを有する。コマ送りされた受入部４１１は、発光素子４５１と受光素子４５２との間に検出孔４２１ａが位置するように停止する。受入部４１１内に硬貨が存在する場合、発光素子４５１からの発光が硬貨に遮られて受光素子４５２に届かなくなる。硬貨検出部４５０は、受光素子４５２の受光の有無によって受入部４１１内の硬貨の有無を検出する。
【０１５２】
撮像部４６０は、基準位置において上側の最も後方に位置する受入部４１１の上方に配置される。撮像部４６０は、ＣＣＤ、ＣＭＯＳ等の撮像素子を有し、撮像部４６０の下方の撮像位置に送られて来た受入部４１１内の硬貨を撮像し、硬貨の画像（画像データ）を取得する。
【０１５３】
振分機構部４７０は、各投下口４３１ａ〜４３１ｄに対応して設けられた、４つの開閉装置４７０ａ〜４７０ｄにより構成される。開閉装置４７０ａ〜４７０ｄは、上記実施形態の特殊硬貨処理ユニット７の開閉装置１７０ａ〜１７０ｄと同様、閉鎖板４７１ａ〜４７１ｄと、駆動部４７２ａ〜４７２ｄとを含む。
【０１５４】
４つの収納部４８０ａ〜４８０ｄは、筐体４００の底部の右側に前後方向に並ぶように配置される。各収納部４８０ａ〜４８０ｄは、筐体４００の右側面から引き出すことが可能な収納箱４８１ａ〜４８１ｄと、収納箱４８１ａ〜４８１ｄが収容されるケース４８２ａ〜４８２ｄと、ケース４８２ａ〜４８２ｄの上面に形成される投入口４８３ａ〜４８３ｄとを含む。各投入口４８３ａ〜４８３ｄは、各収納部４８０ａ〜４８０ｄに対応する投下口４３１ａ〜４３１ｄの真下に位置する。各収納部４８０ａ〜４８０ｄは、施錠できるように構成され、特定の管理者のみが解錠できる。
【０１５５】
収納部４８０ａは、記念貨に割り当てられ、収納部４８０ｂは、１円および５円の損貨に割り当てられる。また、収納部４８０ｃは、１０円および５０円の損貨に割り当てられ、収納部４８０ｄは、１００円および５００円を含むその他の損貨に割り当てられる。
【０１５６】
本変更例の特殊硬貨処理ユニット７Ｂにおいても、上記実施形態の特殊硬貨処理ユニット７と同様の損貨等入力処理が行われる。特殊硬貨処理ユニット７Ｂにおける損貨等入力処理の制御動作は、図９に示す制御動作とほぼ同様である。特殊硬貨処理ユニット７Ｂにおいて損貨等入力処理が行われることにより、各受入部４１１に置かれた複数枚の特殊な硬貨が、順次、撮像部４６０で撮像された後、硬貨の種類や金種に応じた収納部４８０ａ〜４８０ｄに収納される。
【０１５７】
本変更例においても、上記実施形態と同様な作用効果が奏される。
【０１５８】
＜その他の変更例＞
特殊硬貨処理ユニット７に、操作表示部２１０およびプリンタ２２０が設けられてもよい。この場合、特殊硬貨処理ユニット７のみによって硬貨処理装置９が構成される。そして、装置制御部１９０によって、端末制御部２３０が実行していた図９の損貨等入力処理が実行される。また、特殊硬貨処理ユニット７が、タブレット端末やスマートフォンとの通信機能を有し、タブレット端末等の表示機能、操作機能を用いて、特殊硬貨処理ユニット７への特殊な硬貨の入金処理が行われてもよい。
【０１５９】
また、上記実施形態において、移送ディスク１１０が駆動モータ１３０により回転される構成ではなく、移送ディスク１１０が手動により回転される構成が採られてもよい。この場合、移送ディスク１１０を１コマ（３０度）ずつ停止させやすいように、移送ディスク１１０の回転軸にクリック機構が設けられるとよい。また、移送ディスク１１０の回転をロックするロック機構が設けられ、撮像部１６０での撮像後、操作者による情報入力が完了するまで、移送ディスク１１０の回転がロックされるとよい。
【０１６０】
さらに、上記実施形態では、投下口１２１ａがある位置番号Ｐ６の位置の直前である位置番号Ｐ５の位置に撮像部１６０が配置された。しかしながら、撮像部１６０は、位置番号Ｐ１ないしＰ４の何れの位置に配置されてもよい。但し、投下口１２１ａの直前の位置に撮像部１６０が設けられた場合、操作者は、撮像部１６０による硬貨の撮像に基づいて情報入力が行われる前に、多くの硬貨を受入孔１１１に投入しておくことができる。また、撮像部１６０が複数個設けられてもよい。この場合、撮像部１６０の個数分の情報入力画面Ｓ２を操作表示部２１０に分割表示させるようにするとよい。
【０１６１】
さらに、上記実施形態において、ベース板１２０（少なくとも撮像位置の部位）を透明にするとともに、ベース板１２０の下方にも撮像部を配置するようにして、硬貨の裏面を撮像できるようにしてもよい。また、撮像部をベース板１２０の上方に配置し、ベース板１２０の下方に設置した２組の鏡の反射を利用して硬貨の裏面を撮像できるようにしてもよい。
【０１６２】
さらに、上記実施形態において、移送ディスク１１０の各受入孔１１１の一巡目に撮像部１６０による硬貨の撮像が行われ、二巡目に収納部１８０ａ〜１８０ｄへの硬貨の収納が行われるような構成とされてもよい。この場合、各受入孔１１１が一巡した後、撮像された全ての硬貨の種類および金種の情報入力がまとめて行われる。この際、操作表示部２１０では、硬貨の画像の一覧が表示され、その一覧から画像を順次、選択していき、情報入力を行うような構成が採られてもよい。
【０１６３】
さらに、上記実施形態において、硬貨を置き忘れた状態で入金処理の運転が開始されるのを防止するため、移送ディスク１１０が３コマ進んだときに１番から３番の何れの受入孔１１１にも硬貨が検出されなかった場合、操作表示部２１０等を用いて警告がなされる構成が採られてもよい。
【０１６４】
さらに、上記実施形態において、開始操作が行われる前に、開始画面Ｓ１上で操作者が入金する硬貨の枚数を入力できてもよい。この場合、装置制御部１９０によって、収納部１８０ａ〜１８０ｄに収納された硬貨の枚数がカウントされ、枚数情報が端末制御部２３０へ送られる。全ての硬貨が収納部１８０ａ〜１８０ｄに収納されたときの硬貨の枚数が、入力された枚数と異なるとき、端末制御部２３０は、操作表示部２１０等を用いて、枚数が一致していないことを警告する。
【０１６５】
さらに、上記実施形態では、取得した硬貨の画像が最初の硬貨の画像以外の場合、候補一覧Ｌ１、Ｌ２において、前回に選択された種類および金種の候補が、今回の種類および金種のデフォルト候補に指定された。しかしながら、常に、候補一覧Ｌ１、Ｌ２において、最も上の候補がデフォルト候補に指定されてもよい。また、前者のようにするか後者のようにするか、モードを切り替えられるようにしてもよい。
【０１６６】
さらに、上記実施形態において、履歴情報Ｄ１として情報入力画面Ｓ２の履歴表示領域Ｒ３に表示される硬貨は、現在情報入力が行われている硬貨と同じ種類や同じ金種の硬貨だけに限定されてもよい。
【０１６７】
さらに、上記実施形態において、操作者のＩＤ等に対応づけて、特殊硬貨処理ユニット７に入金できる硬貨の上限枚数や上限金額が設定されてもよい。この場合、ＩＤと上限枚数や上限金額とが対応付けられた対応テーブルが端末記憶部２４０に備えられる。端末制御部２３０は、上限枚数や上限金額に達すると、操作表示部２１０等を用いて警告するとともに、それ以降の入金処理を受け付けないようにする。上限枚数等を超えて入金処理を可能とさせる場合には、上位者による承認入力が必要になる。特殊硬貨処理ユニット７では、硬貨の画像を判断しながらの情報入力が必要であるため、操作者の経験等に応じて上限枚数や上限金額を決めることで、操作ミス等によって誤った硬貨の入金が行われることを防止できる。
【０１６８】
さらに、上記実施形態において、特殊硬貨処理ユニット７に、特殊な硬貨として、外国硬貨を入金できてもよい。この場合、外国硬貨に係る情報として、国名、通貨単位、金額等が入力される。
【０１６９】
さらに、上記変更例２において、硬貨の画像の色に基づいて、損貨か記念貨かの判定がなされてもよい。たとえば、汚損硬貨の場合、汚れにより通常より色が濃くなるので、色の濃さが閾値より大きいと、損貨と判定できる。また、通常の流通硬貨と異なる色となる記念貨がある。よって、硬貨の色が通常の流通硬貨となる異なる場合に、記念貨と判定できる。
【０１７０】
さらに、上記変更例２において、硬貨の画像に基づいて、硬貨の種類のみならず金種を判定し、硬貨の金種の候補一覧Ｌ２において、判定した金種を自動選択するようにしてもよい。あるいは、硬貨の画像に基づいて硬貨の種類や金種は判定するが、判定した種類や金種をデフォルト候補とはせず、候補一覧Ｌ１、Ｌ２で選択された種類や金種が、判定した種類や金種と異なる場合に、操作表示部２１０等を用いた警告が行われるようにしてもよい。
【０１７１】
さらに、上記実施形態（変更例１、２）において、受入口１０１に操作者の手を検知するためのアクセスセンサが配置されてもよい。アクセスセンサとして、たとえば、焦電センサ、マイクロ波センサ、超音波ドップラセンサが用いられる。この場合、装置制御部１９０は、受入口１０１内に手が無いことを条件に、移送ディスク１１０を回転駆動させる。
【０１７２】
この他、本発明の実施形態は、特許請求の範囲に記載の範囲で適宜変更可能である。
【符号の説明】
【０１７３】
７  特殊硬貨処理ユニット
８  操作端末
９  硬貨処理装置
１１０  移送ディスク（移送機構部）
１１１  受入孔（硬貨置き部）
１３０  駆動モータ（移送機構部）
１６０  撮像部
１７０  振分機構部
１８０  収納部
１９０  装置制御部（制御部）
２１０  操作表示部（入力部、表示部）
２３０  端末制御部（制御部）
２４０  端末記憶部（記憶部）
３２１  受入部（硬貨置き部）
３３０  移送機構部
３５０  撮像部
３６０  振分機構部
３７０  収納部
４１１  受入部（硬貨置き部）
４２０  移送機構部
４６０  撮像部
４７０  振分機構部
４８０  収納部
Ｓ２  情報入力画面
【図１】
2017228021.tif 000003
【図２】
2017228021.tif 000004
【図３】
2017228021.tif 000005
【図４】
2017228021.tif 000006
【図５】
2017228021.tif 000007
【図６】
2017228021.tif 000008
【図７】
2017228021.tif 000009
【図８】
2017228021.tif 000010
【図９】
2017228021.tif 000011
【図１０】
2017228021.tif 000012
【図１１】
2017228021.tif 000013
【図１２】
2017228021.tif 000014
【図１３】
2017228021.tif 000015
【図１４】
2017228021.tif 000016
【図１５】
2017228021.tif 000017
【図１６】
2017228021.tif 000018
【図１７】
2017228021.tif 000019
【図１８】
2017228021.tif 000020
【図１９】
2017228021.tif 000021